(57)【要約】【課題】異常の発生をより的確に検知し、その発生した異常に応じた適切な異常時制御を行うことのできる車載機器駆動装置を提供する。【解決手段】電子制御装置２６は、（い）クラッチ２５による伝動機構とエンジン出力軸との接続の指令がなされていること、（ろ）Ｍ／Ｇ１６が駆動されていること、（は）ＮＥセンサ２７、回転センサ２８の検出結果が、エンジン出力軸の回転速度がＭ／Ｇ１６の回転速度に応じた回転速度に達していないことを示していること、（に）油圧センサ２９の検出結果に基づき、車載機器の作動有りが確認されていること、の各条件について、そのすべての成立をもってクラッチ２５の異常有りと判定して、その判定された異常に応じた異常時制御を実施する。【選択図】図１
2008298293.tif 000002
【特許請求の範囲】
【請求項１】
電動機と車載機器とを互いに駆動連結する伝動機構と、その伝動機構に対するエンジン出力軸の接続を断接するクラッチとを備える車載機器駆動系を備える車載機器駆動装置であって、
前記エンジン出力軸の回転速度を検出する第１検出手段と、前記電動機の回転速度を検出する第２検出手段と、前記車載機器のいずれか１つの作動の有無を検出する第３検出手段を備えるとともに、
条件（い）前記クラッチによる前記伝動機構と前記エンジン出力軸との接続の指令がなされていること、
条件（ろ）前記電動機が駆動されていること、
条件（は）前記第１及び第２検出手段の検出結果が、前記エンジン出力軸の回転速度が前記電動機の回転速度に応じた回転速度に達していないことを示していること、
条件（に）前記第３検出手段の検出結果に基づき、前記車載機器の作動有りが確認されていること、
の各条件について、上記条件（い）〜（に）のすべての成立をもって前記クラッチの異常有りと判定して、その判定された異常に応じた異常時制御を実施する異常時制御手段を更に備えることを特徴とする車載機器駆動装置。
【請求項２】
電動機と車載機器とを互いに駆動連結する伝動機構と、その伝動機構に対するエンジン出力軸の接続を断接するクラッチとを備える車載機器駆動系を備える車載機器駆動装置であって、
前記エンジン出力軸の回転速度を検出する第１検出手段と、前記電動機の回転速度を検出する第２検出手段と、前記車載機器のいずれか１つの作動の有無を検出する第３検出手段を備えるとともに、
条件（い）前記クラッチによる前記伝動機構と前記エンジン出力軸との接続の指令がなされていること、
条件（ろ）前記電動機が駆動されていること、
条件（は）前記第１及び第２検出手段の検出結果が、前記エンジン出力軸の回転速度が前記電動機の回転速度に応じた回転速度に達していないことを示していること、
条件（に）前記第３検出手段の検出結果に基づき、前記車載機器の作動有りが確認されていること、
の各条件について、上記条件（い）〜（は）が共に成立し、且つ条件（に）が不成立であることをもって前記伝動機構の異常有りと判定して、その判定された異常に応じた異常時制御を実施する異常時制御手段を更に備える
ことを特徴とする車載機器駆動装置。
【発明の詳細な説明】
【技術分野】
【０００１】
本発明は、車載機器駆動装置に関するものである。
【背景技術】
【０００２】
従来、一般の車載エンジンでは、伝動ベルトを介して、ウォータポンプやエアコン用コンプレッサ、オルタネータ等の各種車載機器をエンジン出力軸に駆動連結し、エンジンの動力を用いてそれら各種車載機器を駆動させるようにしている。
【０００３】
一方、信号待ちのような一時的な車両停止時にエンジンを一時停止する、いわゆるアイドル・ストップを自動的に実行する車両では、アイドル・ストップの実行中は、エンジン出力による車載機器駆動が行えなくなってしまう。そこで、例えば特許文献１にみられるように、車載機器駆動用のモータ（電動機）を設けることで、エンジンの停止中も車載機器駆動を継続可能とする車載機器駆動系を備える車両が提案されている。
【０００４】
こうした車両では、車載機器駆動用のモータ、車載機器及びエンジン出力軸を、伝動ベルトによって互いに駆動連結するようにしている。エンジン出力軸と伝動ベルトとの間にはクラッチが介設されており、モータ及び車載機器に対するエンジン出力軸の接続を断接可能に構成されている。そしてエンジン停止中にはクラッチを解除してモータ出力によって車載機器を駆動し、エンジン動作中にはクラッチを接続してエンジン出力によって車載機器を駆動するようにしている。
【特許文献１】特開平１１−１４７４２４号公報
【発明の開示】
【発明が解決しようとする課題】
【０００５】
ところで、こうした車両では、クラッチの焼き付きや異物混入等に起因する接続／接続の解除動作の不良、或いは伝動ベルトの弛みや切断等の異常が発生した場合、上記のようなエンジンの自動停止に応じた車載機器の駆動を適切に為し得なくなってしまう。
【０００６】
なお、上記のような構成の車載機器駆動系では、クラッチの接続中は、車載機器駆動用モータ及びエンジン出力軸のいずれか一方によって他方が従動された状態となっている。そこで、モータ及びエンジン出力軸の回転速度を検出するセンサをそれぞれ設け、それらの検出する両回転速度に不整合が生じたことから車載機器駆動系の異常を検知することはできる。しかしながら、その場合であれ、異常の箇所を特定することはできず、またセンサの異常と車載機器駆動系の異常との判別もそれだけでは十分に行うことはできない。このため、発生した異常に対応して必ずしも十分なフェールセーフ制御等の異常時制御を実施し得ないことがあった。
【０００７】
本発明は、こうした実情に鑑みてなされたものであって、その目的は、異常の発生をより的確に検知し、その発生した異常に応じた適切な異常時制御を行うことのできる車載機器駆動装置を提供することにある。
【課題を解決するための手段】
【０００８】
上記課題を解決するための手段、及びその作用効果を以下に記載する。
（請求項１）
請求項１に記載の発明は、電動機と車載機器とを互いに駆動連結する伝動機構と、その伝動機構に対するエンジン出力軸の接続を断接するクラッチとを備える車載機器駆動系を備える車載機器駆動装置であって、前記エンジン出力軸の回転速度を検出する第１検出手段と、前記電動機の回転速度を検出する第２検出手段と、前記車載機器のいずれか１つの作動の有無を検出する第３検出手段を備えるとともに、条件（い）前記クラッチによる前記伝動機構と前記エンジン出力軸との接続の指令がなされていること、条件（ろ）前記電動機が駆動されていること、条件（は）前記第１及び第２検出手段の検出結果が、前記エンジン出力軸の回転速度が前記電動機の回転速度に応じた回転速度に達していないことを示していること、条件（に）前記第３検出手段の検出結果に基づき、前記車載機器の作動有りが確認されていること、の各条件について、上記条件（い）〜（に）の全ての成立をもって前記クラッチの異常有りと判定して、判定された異常に応じた異常時制御を実施する異常時制御手段を更に備えるようにしたものである。
【０００９】
上記構成において、上記条件（い）及び条件（ろ）の成立時には、車載機器には伝動機構を通じて、またエンジン出力軸には伝動機構とクラッチとを通じて、電動機からの動力がそれぞれ伝達されるようになる。このとき、電動機に従動して駆動されるエンジン出力軸の回転速度がその電動機の回転速度に比して不相応に低ければ、すなわち条件（は）が成立すれば、伝動機構及びクラッチを通じた動力伝達経路に異常有りと判定することができる。
【００１０】
このとき更に、車載機器の作動有りが確認されれば、すなわち条件（に）が成立すれば、電動機から車載機器への動力伝達を担う伝動機構は正常動作されており、したがってクラッチの異常有りと判定することができる。したがって、クラッチの異常を的確に判別し、その異常に応じた異常時制御を実施できる。
【００１１】
（請求項２）
請求項２に記載の発明は、電動機と車載機器とを互いに駆動連結する伝動機構と、その伝動機構に対するエンジン出力軸の接続を断接するクラッチとを備える車載機器駆動系を備える車載機器駆動装置であって、前記エンジン出力軸の回転速度を検出する第１検出手段と、前記電動機の回転速度を検出する第２検出手段と、前記車載機器のいずれか１つの作動の有無を検出する第３検出手段を備えるとともに、条件（い）前記クラッチによる前記伝動機構と前記エンジン出力軸との接続の指令がなされていること、条件（ろ）前記電動機が駆動されていること、条件（は）前記第１及び第２検出手段の検出結果が、前記エンジン出力軸の回転速度が前記電動機の回転速度に応じた回転速度に達していないことを示していること、条件（に）前記第３検出手段の検出結果に基づき、前記車載機器の作動有りが確認されていること、の各条件について、上記条件（い）〜（は）が共に成立し、且つ条件（に）が不成立であることをもって前記伝動機構の異常有りと判定して、判定された異常に応じた異常時制御を実施する異常時制御手段を更に備えるようにしたものである。
【００１２】
上記構成において、上記条件（い）及び条件（ろ）の成立時には、車載機器には伝動機構を通じて、またエンジン出力軸には伝動機構とクラッチとを通じて、電動機からの動力がそれぞれ伝達されるようになる。このとき、電動機に従動して駆動されるエンジン出力軸の回転速度がその電動機の回転速度に比して不相応に低ければ、すなわち条件（は）が成立すれば、伝動機構及びクラッチを通じた動力伝達経路に異常有りと判定することができる。
【００１３】
このとき更に、車載機器の作動無しが確認されれば、すなわち条件（に）が不成立であれば、電動機から車載機器への動力伝達を担う伝動機構の異常有りと判定することができる。したがって、伝動機構の異常を的確に判別し、その異常に応じた異常時制御を実施できる。
【発明を実施するための最良の形態】
【００１４】
（第１実施形態）
以下、本発明を具体化した第１実施形態について、図１及び図２を参照して詳細に説明する。
【００１５】
図１は、本実施形態の適用される車両の駆動系及びその制御系の構成を併せ示している。同図に示すように、エンジン（ＥＮＧ）１０は自動変速機（Ａ／Ｔ）１１に連結されており、その自動変速機１１を通じて図示しない駆動輪へと動力を伝達するようになっている。またエンジン１０は、スタータモータ１２とも連結されている。
【００１６】
エンジン１０の周囲には、エアコンディショナ（Ａ／Ｃ）用のコンプレッサ１３、パワーステアリング（Ｐ／Ｓ）ポンプ１４及びウォータポンプ（Ｗ／Ｐ）１５等の車載機器と、モータ／ジェネレータ（Ｍ／Ｇ）１６とが配置されている。
コンプレッサ１３は、その作動に応じ、車室空調用の冷媒の加圧圧縮を行っている。Ｐ／Ｓポンプ１４は、その作動に応じ、パワーステアリング機構の作動のための油圧を発生する。ウォータポンプ１５は、その作動に応じ、エンジン１０等の冷却に係る冷却水を循環させている。
【００１７】
一方、Ｍ／Ｇ１６は、インバータ１７を介してバッテリ１８に電気接続されており、バッテリ１８からの電力供給に応じて動力を発生し、上記各車載機器１３〜１５を駆動する電動機（モータ）として機能する。またＭ／Ｇ１６は、エンジン１０からの動力供給を受けて発電を行う発電機としても機能する。こうしたＭ／Ｇ１６の機能の切替えは、インバータ１７の制御を通じて行われている。
【００１８】
エンジン１０の出力軸であるクランクシャフト１０ａ、各車載機器１３〜１５の回転軸及びＭ／Ｇ１６の回転軸にはそれぞれプーリ１９〜２３が装着されている。各プーリ１９〜２３は、それらに架け渡された伝動ベルト２４を通じて互いに駆動連結されている。
【００１９】
クランクシャフト１０ａとプーリ１９との間には、電磁式のクラッチ２５が設けられ、同クラッチ２５への通電の制御に応じてクランクシャフト１０ａとプーリ１９との係合／係合解除が切り替えられる。そしてこれにより、クランクシャフト１０ａと伝動ベルト２４との間での動力伝達の接続及び遮断が切り替えられている。
【００２０】
なお、Ａ／Ｃ用のコンプレッサ１３とプーリ２０との間にも、電磁式のクラッチ２０ａが設けられ、同様にそのクラッチ２０ａへの通電制御に応じてコンプレッサ１３と伝動ベルト２４との間での動力伝達の接続及び遮断が切り替えられるようになっている。
【００２１】
続いて、同図１を参照して、この車両の制御システムの構成を説明する。同図に示すように、この車両の制御システムは、電子制御装置（ＥＣＵ）２６を中心として構成されている。このＥＣＵ２６は、エンジン１０の運転制御、自動変速機１１等の車両駆動系の制御、車室内のエアコンディショナの制御、及び車載機器駆動系の制御等を格別に司る複数の制御ユニットによって構成されている。
【００２２】
ＥＣＵ２６は、エンジン１０の回転速度を検出するＮＥセンサ２７、Ｍ／Ｇ１６の回転速度を検出する回転センサ２８、Ｐ／Ｓポンプ１４の発生油圧を検出する油圧センサ２９、アクセルペダル及びブレーキペダルの踏み込み量を各検出するアクセルセンサ３０及びブレーキセンサ３１、及び車速を検出する車速センサ３２を始めとして、エンジン１０や車両の状態を検出する各種センサ類の検出信号が入力されるようになっている。
【００２３】
ＥＣＵ２６は、そうした各種センサ類の検出結果に基づいてエンジン１０の運転制御や自動変速機１１の制御等、車両の走行状態全般に係る各種制御を行っている。更にＥＣＵ２６は、スタータモータ１２、クラッチ２５、クラッチ２０ａ、及びインバータ１７と信号線を通じて接続されており、それらの制御を行っている。これにより、スタータモータ１２の駆動制御や、Ａ／Ｃ用コンプレッサ１３の作動に係る電磁クラッチ２０ａの制御も行っている。そしてＥＣＵ２６は、インバータ１７の駆動制御を通じたＭ／Ｇ１６の発電量、出力、或いはその回転速度の制御を行うとともに、クラッチ２５の制御を併せ行うことで、アイドル・ストップでのエンジン１０の自動停止・自動再始動に係る車載機器駆動系の制御を行っている。
【００２４】
ここで以上説明したように構成された本実施形態でのエンジン１０の自動停止・自動再始動に係る車載機器駆動系の制御について説明する。
＜エンジン作動中＞
エンジン１０の作動中には、クラッチ２５が接続され、クランクシャフト１０ａとプーリ１９とを係合してエンジン１０の動力を伝動ベルト２４に付与している。このため、エンジン１０の作動中は、エンジン１０の出力によって各車載機器１３〜１５が駆動されている。このときＭ／Ｇ１６は、エンジン１０によって駆動され、発電を行う。
【００２５】
＜エンジン自動停止時＞
車両が一時停止された状態にあると判断されたときには、ＥＣＵ２６は、クラッチ２５の接続を解除してクランクシャフト１０ａと伝動ベルト２４との接続を遮断した後、エンジン１０を停止する。なお、ここでの車両一時停止の判断は、上記アクセルセンサ３０、ブレーキセンサ３１、及び車速センサ３２等の検出結果をもとに行われ、例えば、アクセルペダルの踏み込み量が「０」、且つブレーキペダルの踏み込み有り、且つ車速「０」を条件として車両が一時停止状態にあると判断するようにしている。
【００２６】
＜エンジン停止中＞
クラッチ２５の接続が解除され、エンジン１０が停止されると、ＥＣＵ２６は、Ｍ／Ｇ１６を電動機として駆動し、そのＭ／Ｇ１６の出力によって各車載機器１３〜１５を駆動する。これにより、エンジン１０の停止中も、各車載機器１３〜１５の作動が維持される。
【００２７】
＜エンジン再始動時＞
例えば、エンジン１０の停止中にＤレンジでブレーキペダルが開放されると、まずＥＣＵ２６はクラッチ２５を接続し、Ｍ／Ｇ１６の出力によってクランクシャフト１０ａを回転させる。このときＭ／Ｇ１６の動力は、そのクランクシャフト１０ａから自動変速機１１等を通じて駆動輪に伝達され、車両の走行が開始される。そしてエンジン１０の回転速度が所定の回転速度となった時点で、ファイアリングを開始してエンジン１０を再始動させる。すなわち本実施形態では、アイドル・ストップからのエンジン１０の再始動時には、Ｍ／Ｇ１６がスタータモータとしての役割を果たすこととなる。その後、エンジン１０が安定して自立運転されるようになると、Ｍ／Ｇ１６の駆動を停止し、エンジン１０の動力によってＭ／Ｇ１６に発電を行わせている。そしてこれにより、車載機器１３〜１５の駆動源がＭ／Ｇ１６からエンジン１０に切り替えられる。
【００２８】
なお、最初の（イグニッションスイッチがオンされた時の）エンジン始動は、上記スタータモータ１２によって行われる。これは、次の理由による。すなわちスタータモータ１２は、ギアを介してクランクシャフト１０ａに連結されており、伝動ベルト２４のすべり等のおそれのない分、より確実に動力をエンジン１０に伝達できる。このため、回転抵抗が大きくクランクシャフト１０ａの回転負荷がより高くなる最初のエンジン始動時にはスタータモータ１２を用いることで、より確実にエンジン１０を始動させている。なお、こうした最初のエンジン始動は、クラッチ２５の接続を解除した状態で行うことで、スタータモータ１２の回転負荷を低減するようにしている。
【００２９】
更にＥＣＵ２６は、エンジン１０の作動／停止に応じて駆動源を切り替えて車載機器１３〜１５を駆動しつつ、車載機器駆動系の異常検出を行っている。そして異常検出されたときには、フェールセーフのための異常時制御を行っている。
以下にこうした異常検出及びフェールセーフに係る制御について説明する。
【００３０】
まず、本実施形態での異常検出の原理を、図２及び図３を併せ参照して説明する。
上記の車載機器駆動系では、クラッチ２５を接続すると、クランクシャフト１０ａとＭ／Ｇ１６の回転軸とが伝動ベルト２４等を介して連結される。このときのエンジン１０とＭ／Ｇ１６とは連動して回転することとなり、それらの回転速度の比は、クランクシャフト１０ａ及びＭ／Ｇ１６の回転軸に各装着されたプーリ１９とプーリ２３とのプーリ比に従ったほぼ一定の値となる。そこで、ＮＥセンサ２７及び回転センサ２８の検出結果の対比に基づき、エンジン１０及びＭ／Ｇ１６の回転速度の不整合から異常の発生を検出することができる。
【００３１】
そして、エンジン作動中のように、クラッチ２５が接続された状態でエンジン１０による車載機器駆動が行われる時には、図２に示すような態様で異常判定を行うことができる。
【００３２】
エンジン１０による車載機器駆動中に、ＮＥセンサ２７の検出したエンジン１０の回転速度に比して、回転センサ２８の検出したＭ／Ｇ１６の回転速度が不相応に低いときには（図２のステップ１０：ＹＥＳ）、クラッチ２５及び伝動ベルト２４等の車載機器駆動系を通じたクランクシャフト１０ａからＭ／Ｇ１６への動力伝達に異常が発生した疑いがある。ただしこうした状況は、回転センサ２８に異常が発生した場合にも生じ得る。これら異常の判別は、車載機器１３〜１５の作動の有無を確認することで行うことができる。
【００３３】
すなわち、このときに車載機器１３〜１５が作動していていることが確認されれば（ステップ２０：ＹＥＳ）、実際にはクランクシャフト１０ａから車載機器１３〜１５に十分な動力伝達が行われていること（伝動ベルト２４が駆動されていること）が解る。したがってこのときには、実際には伝動ベルト２４を通じてＭ／Ｇ１６が駆動されているはずであり、回転センサ２８が誤った検出結果を出力していると、すなわち回転センサ２８の異常有りと判定することができる（ステップ３０）。
【００３４】
一方、このときに車載機器１３〜１５が作動していないことが確認されれば（ステップ２０：ＮＯ）、実際に伝動ベルト２４が駆動されていないことが解る。
したがってこのときには、伝動ベルト２４及びクラッチ２５等の車載機器駆動系に異常が発生したものと判定することができる。
【００３５】
なお、車載機器駆動系の異常としては、伝動ベルト２４の切断やクラッチ２５の接続動作の不良等が考えられる。そこで車載機器駆動系の異常有りと判定されたときには、次の処理によって、異常箇所を更に特定するようにしている。
【００３６】
すなわち、車載機器駆動系の異常有りの判定後、クラッチ２５の接続の解除を指令し、Ｍ／Ｇ１６を回転させる（ステップ４０）。ここで伝動ベルト２４に異常がなく、Ｍ／Ｇ１６の回転によって伝動ベルト２４が駆動されれば、各車載機器１３〜１５は作動される。したがって、Ｍ／Ｇ１６の回転後にも車載機器１３〜１５が作動していないことが確認されれば（ステップ５０：ＮＯ）、伝動ベルト２４に切断等の異常が発生したと判定することができる（ステップ６０）。
【００３７】
一方、Ｍ／Ｇ１６の回転後に車載機器１３〜１５の作動有りが確認されれば（ステップ５０：ＹＥＳ）、伝動ベルト２４を介した車載機器１３〜１５及びＭ／Ｇ１６の間での動力伝達には異常が無いことが解る。したがってこのときには、上記エンジン１０及びＭ／Ｇ１６の回転速度の不整合がクラッチ２５の接続動作の不良に起因するものと判断され、クラッチ２５の異常有りと判定することができる（ステップ７０）。
【００３８】
更に、クラッチ２５が接続された状態でＭ／Ｇ１６による車載機器１３〜１５及びクランクシャフト１０ａの駆動が行われる時には、図３に示すような態様で異常判定を行うことができる。
【００３９】
Ｍ／Ｇ１６によって車載機器１３〜１５及びクランクシャフト１０ａが駆動されているときに、回転センサ２８の検出したＭ／Ｇ１６の回転速度に比して、ＮＥセンサ２７の検出したエンジン１０の回転速度が不相応に低いときには（図３のステップ１００：ＹＥＳ）、Ｍ／Ｇ１６からクランクシャフト１０ａへの動力伝達に異常が発生した疑いがある。このときには、Ｍ／Ｇ１６の回転速度が検出されていることから回転センサ２８には異常が無いことが確かめられており、したがってＮＥセンサ２７に異常が無いことが確認されていれば、車載機器駆動系に異常が発生したものと判定できる。
【００４０】
そして更に、車載機器１３〜１５の作動の有無を確認することで、異常の箇所を特定することができる。すなわち、この状態で車載機器１３〜１５の作動有りが確認されれば（ステップ１１０：ＹＥＳ）、伝動ベルト２４を通じたＭ／Ｇ１６と車載機器１３〜１５との動力伝達は正常に維持されており、したがってクラッチ２５の異常有りと判定できる（ステップ１２０）。一方、車載機器１３〜１５の作動が確認されなければ（ステップ１１０：ＮＯ）、伝動ベルト２４の異常有りと判定できる（ステップ１３０）。
【００４１】
以上のようにして、エンジン１０とＭ／Ｇ１６との回転速度の不整合をもたらす異常の箇所を的確に特定することができる。そして本実施形態では、具体的には次のようにして異常検出及びフェールセーフに係る制御を行っている。以下に、異常の検出条件及び検出した異常に対するフェールセーフ制御を、異常の種別毎に記載する。
【００４２】
＜１＞車載機器駆動系の異常
ＥＣＵ２６は、以下の条件（ａ１）〜（ａ５）が共に成立した状態が所定時間以上継続されたとき、車載機器駆動系の異常有りと判定する。
（ａ１）ＮＥセンサ２７の正常動作が確認されている。
（ａ２）クラッチ２５に接続指令が出されている。
（ａ３）ＮＥセンサ２７の検出するエンジン１０の回転速度が所定値α１以上、且つ回転センサ２８の検出するＭ／Ｇ１６の回転速度が所定値β１未満である（β１＜＜Ｒｐ・α１）。
（ａ４）Ｐ／Ｓ油圧が所定値ｐ１未満である。
【００４３】
ここで所定値α１には、エンジン１０が自立運転可能な回転速度以上の値（例えば５００ｒｐｍ）が設定され、所定値β１には、所定値α１にプーリ比Ｒｐを乗算した値よりも十分に小さな値が設定される。ここでのプーリ比Ｒｐは、クランクシャフト１０ａに装着されたプーリ１９の円周に対するＭ／Ｇ１６の回転軸に装着されたプーリ２３の円周の比率を示す。したがって、ＮＥセンサ２７及び回転センサ２８の検出結果が、エンジン１０の回転速度に比してＭ／Ｇ１６の回転速度が不相応に低いことを示しているとき、上記条件（ａ３）が成立する（図２のステップ１０：ＹＥＳ）。
【００４４】
一方、所定値ｐ１には、Ｐ／Ｓポンプ１４が作動されていることを示す最低限の油圧よりも小さな値が設定されている。したがって上記条件（ａ４）の成立をもって、車載機器（Ｐ／Ｓポンプ１４）が作動していないことが確認される（ステップ２０：ＮＯ）。このように、ここでは車載機器の作動の有無を、Ｐ／Ｓポンプ１４の発生油圧を検出する油圧センサ２９の検出結果に基づいて確認している。
【００４５】
そしてこれにより、車載機器駆動系の異常有りと判定されたときには、ＥＣＵ２６は、以下のフェールセーフ制御を実施する。
（Ａ１）エンジン１０の自動停止・自動再始動制御を禁止する。
（Ａ２）クラッチ２５の接続の解除を保持するように指令を出力する。
（Ａ３）Ｍ／Ｇ１６を回転させるように指令を出力する。
【００４６】
ここでの上記処理（Ａ２）によって、クラッチ２５は、可能な限り接続を解除するように作動される。このため、クラッチ２５が、完全に接続されていない半クラッチ状態のまま回転負荷を受け、焼き付きが生じることが抑制される。また、それに加え、上記処理（Ａ３）によって、伝動ベルト２４に異常が無い場合には、Ｍ／Ｇ１６の回転によって車載機器１３〜１５の作動を継続可能となる（以上、ステップ４０）。
【００４７】
そして以上の処理（Ａ１）〜（Ａ３）の実施後、所定時間が経過した時点で上記油圧センサ２９の検出結果に基づき、車載機器（Ｐ／Ｓポンプ１４）の作動の有無を確認する。ここでは、油圧センサ２９の検出するＰ／Ｓポンプ１４の発生油圧が所定値ｐ２以上であることをもって、車載機器（Ｐ／Ｓポンプ１４）の作動有りを確認するようにしている。この所定値ｐ２には、Ｐ／Ｓポンプ１４が作動されていることを示すのに十分な油圧が、その値として設定されている（ｐ１≦ｐ２）。
【００４８】
ここで車載機器が作動していることが確認されれば（ステップ５０：ＹＥＳ）、ＥＣＵ２６はクラッチ２５の異常有りと判定し、上記処理（Ａ１）〜（Ａ３）を継続し、バッテリ１８からの電力供給が続く限り、Ｍ／Ｇ１６の駆動によって車載機器１３〜１５の作動を維持する。一方、ここで車載機器が作動していないことが確認されれば（ステップ５０：ＮＯ）、ＥＣＵ２６は伝動ベルト２４の異常有りと判定し、Ｍ／Ｇ１６の回転を停止する。
【００４９】
＜２＞回転センサ２８の異常
ＥＣＵ２６は、上記条件（ａ１）〜（ａ３）に加え、更に次の条件（ｂ１）が共に成立した状態が所定時間以上継続されたとき、回転センサ２８の異常有りと判定する。
（ｂ１）Ｐ／Ｓ油圧が所定値ｐ２以上である。
【００５０】
この条件（ｂ１）の成立によって、車載機器（Ｐ／Ｓポンプ１４）が作動していることが確認される（ステップ２０：ＹＥＳ）。
そしてこれにより、回転センサ２８の異常有りと判定されたときには、ＥＣＵ２６は、以下のフェールセーフ制御を実施する。
（Ｂ１）エンジン１０の自動停止・自動再始動制御を禁止する。
（Ｂ２）エンジン１０が上記自動停止制御によって停止されていれば、スタータモータ１２を用いて始動する。
（Ｂ３）インバータ１７を作動停止し（ゲート遮断）、レクチ（三相全波整流）発電に切り替える。
【００５１】
＜３＞クラッチ２５の接続動作の不良
ＥＣＵ２６は、以下の条件（ｃ１）〜（ｃ４）が共に成立した状態が所定時間以上継続しているとき、クラッチ２５の接続動作の不良が発生したものと判定する。
（ｃ１）一時停止からのエンジン１０の再始動中である。すなわち、クラッチ２５に接続指令が出された状態でＭ／Ｇ１６による車載機器１３〜１５及びクランクシャフト１０ａの駆動が行われている。
（ｃ２）ＮＥセンサ２７の正常動作が確認されている。
（ｃ３）回転センサ２８の検出するＭ／Ｇ１６の回転速度が所定値β２以上、且つＮＥセンサ２７の検出するエンジン１０の回転速度が所定値α２未満である（β２＞＞Ｒｐ・α２）。
（ｃ４）Ｐ／Ｓポンプ１４の発生油圧が上記所定値ｐ２以上である。
【００５２】
ここで所定値β２には、車載機器駆動時のＭ／Ｇ１６の回転速度の最低値が設定され、所定値α２には、その所定値β２に上記プーリ比の逆数（１／Ｒｐ）を乗算した値よりも十分に小さな値が設定される。したがって、ＮＥセンサ２７及び回転センサ２８の検出結果が、Ｍ／Ｇ１６の回転速度に比してエンジン１０の回転速度が不相応に低い状況を示しているときに、上記条件（ｃ３）が成立する（図３のステップ１００：ＹＥＳ）。
【００５３】
また条件（ｃ４）の成立によって、車載機器（Ｐ／Ｓポンプ１４）が作動していることが確認される（ステップ１１０：ＹＥＳ）。
そしてこれにより、接続動作の不良によるクラッチ２５の異常有りと判定されたときには、ＥＣＵ２６は、上記処理（Ａ１）〜（Ａ３）と同様のフェールセーフ制御を実施して、車載機器１３〜１５の作動をＭ／Ｇ１６による駆動によって維持する。またこれに加え、エンジン１０が停止中であれば、スタータモータ１２を用いてエンジン１０を再始動する。
【００５４】
＜４＞伝動ベルト２４の切断
ＥＣＵ２６は、上記条件（ｃ１）〜（ｃ３）に加え、更に次の条件（ｄ１）が共に成立した状態が所定時間以上継続しているとき、伝動ベルト２４の切断或いはその弛み等の異常が発生したものと判定する。
（ｄ１）Ｐ／Ｓポンプ１４の発生油圧が上記所定値ｐ２未満である。
【００５５】
この条件（ｄ１）の成立によって、車載機器（Ｐ／Ｓポンプ１４）が作動していないことが確認される（ステップ１１０：ＮＯ）。
そしてこれにより、伝動ベルト２４の異常有りと判定されたときには、ＥＣＵ２６は、以下のフェールセーフ制御を実施する。
（Ｄ１）エンジン１０の自動停止・自動再始動制御を禁止する。
（Ｄ２）クラッチ２５の接続の解除を保持するように指令を出力する。
（Ｄ３）Ｍ／Ｇ１６の回転を停止する。
（Ｄ４）スタータモータ１２を用いてエンジン１０を再始動する。
【００５６】
＜５＞クラッチ２５の接続解除動作の不良
更にＥＣＵ２６は、以下の条件（ｅ１）〜（ｅ４）が共に成立した状態が、所定時間以上継続されたとき、接続の解除動作の不良によるクラッチ２５の異常有りと判定する。
（ｅ１）クラッチ２５に接続の解除の指令が出されている。
（ｅ２）Ｍ／Ｇ１６の目標回転速度が所定値以上である。すなわちＭ／Ｇ１６による車載機器駆動が実際に行われている。
（ｅ３）ＮＥセンサ２７の正常動作が確認されている。
（ｅ４）エンジン１０の回転速度が所定値γ１よりも大きい。
【００５７】
すなわちここでは、本来、クラッチ２５の接続が解除され、伝動ベルト２４とクランクシャフト１０ａとの連結が切断されるべき状況において、Ｍ／Ｇ１６の回転に従動してクランクシャフト１０ａが回転されていることをもって、クラッチ２５の接続の解除動作の不良が発生したと判定している。
【００５８】
そしてこれにより、接続の解除動作の不良が発生したと判定されたときには、ＥＣＵ２６は、以下のフェールセーフ制御を実施する。
（Ｅ１）エンジン１０の自動停止・自動再始動制御を禁止する。
（Ｅ２）エンジン１０が上記自動停止制御によって停止されていれば、スタータモータ１２を用いて始動する。
（Ｅ３）クラッチ２５の接続を保持するように指令を出力する。
【００５９】
ここでの上記処理（Ｅ３）によって、クラッチ２５は、可能な限り接続を強化するように作動される。このため、クラッチ２５が完全に接続を解除されずに半クラッチ状態のまま回転負荷を受け、焼き付きが生じることが抑制される。
【００６０】
以上のように本実施形態では、異常箇所を的確に検出し、検出された異常の種別に応じて適切なフェールセーフ制御を実施することで、異常時の緊急避難走行の距離を延長し、更なる異常範囲の拡大を抑えるようにしている。
【００６１】
なお、上記各異常の判定に要する所定時間は、判定の精度の確保とその異常に対するフェールセーフ制御の緊急性との兼ね合いに応じて設定されている。例えば、上記「車載機器駆動系の異常」の場合には、その異常がクラッチ２５の接続動作不良に起因するものであれば、早急に接続を解除してクラッチ２５を保護すると共に車載機器１３〜１５の作動を確保する必要があることから、判定に要する所定時間は短めに設定されている。一方、上記「回転センサの異常」の場合には、その原因が電気的な障害等にあり、早期に正常状態に復帰する場合があり、また、即座に他の機器等の損傷を招く機械的な障害でもないため、上記所定時間は長めに設定されている。
【００６２】
以上説明した本実施形態によれば、以下の効果を得ることができる。
（１）本実施形態では、エンジン１０による車載機器１３〜１５の駆動時に、エンジン１０とＭ／Ｇ１６との回転速度の検出値の不整合、及び油圧センサ２９の検出結果に基づく車載機器（Ｐ／Ｓポンプ１４）の作動の有無の確認によって、回転センサ２８の異常と車載機器駆動系（伝動ベルト２４、クラッチ２５）の異常とを判別している。このため、異常に応じた適切なフェールセーフ制御を行うことができる。
【００６３】
（２）本実施形態では、車載機器駆動系の異常有りと判定されたときには、クラッチ２５の接続を解除するようにしている。このため、クランクシャフト１０ａから伝動ベルト２４への動力伝達が遮断され、異常が生じた車載機器駆動系をエンジン１０からの負荷入力から保護して、更なる異常の拡大が抑えられる。
【００６４】
（３）また本実施形態では、車載機器駆動系の異常有りと判定されたときに、クラッチ２５の接続の解除とともにＭ／Ｇ１６を回転駆動するようにしている。
このため、そのときの車載機器駆動系の異常が伝動ベルト２４を通じたＭ／Ｇ１６及び各車載機器１３〜１５間の動力伝達を妨げるものでないことを条件に、Ｍ／Ｇ１６による車載機器１３〜１５の駆動が継続されるようになる。これにより、車載機器駆動系の異常発生後も、可能な限り、車載機器１３〜１５の作動を維持できるようになる。
【００６５】
（４）また本実施形態では、車載機器駆動系の異常有りと判定されたときに、クラッチ２５の接続を解除してＭ／Ｇ１６を回転駆動するとともに、油圧センサ２９の検出結果に基づく車載機器（Ｐ／Ｓポンプ１４）の作動の有無の確認によって、伝動ベルト２４の異常とクラッチ２５の異常とを判別して判定している。
したがって、異常に応じた更に適切な異常時制御を実施することができる。
【００６６】
（５）本実施形態では、クラッチ２５を接続し、車載機器１３〜１５及びクランクシャフト１０ａをＭ／Ｇ１６によって駆動するときに、エンジン１０とＭ／Ｇ１６との回転速度の不整合、及び油圧センサ２９の検出結果に基づく車載機器（Ｐ／Ｓポンプ１４）の作動の有無の確認によって、伝動ベルト２４の異常とクラッチ２５の異常とを判別して判定している。したがって、異常に応じた更に適切な異常時制御を実施することができる。
【００６７】
以上説明した第１実施形態は、次のように変更して実施することもできる。
・上記実施形態では、車載機器１３〜１５の作動の有無の確認を油圧センサ２９の検出結果に基づいて行っているが、それ以外の検出手段であれ、車載機器１３〜１５のいずれか１つ以上の作動の有無を確認可能な検出手段であれば、その検出結果に基づき上記確認を行うようにしても良い。例えば、車載機器の回転軸にその回転速度を検出するセンサを設け、その検出結果から車載機器の作動の有無を確認するようにしても良い。
【００６８】
・上記各異常の判定条件では、駆動側の回転速度が所定値以上、かつ従動側の回転速度が所定値未満であることをもって、エンジン１０とＭ／Ｇ１６との回転速度の不整合の発生を判断するようにしている（例：条件（ａ３）、条件（ｃ３）等）。これをエンジン１０及びＭ／Ｇ１６の両回転速度についての不等式の成立／不成立によって判断するようにしても良い。
【００６９】
・また上記＜１＞〜＜５＞の各異常の判定及び異常時制御の処理について、その全てを行わず、その一部についてのみ処理を行うようにしても良い。
・上記実施形態では、車載機器駆動系の異常の判定時には、クラッチ２５の接続を解除した上でＭ／Ｇ１６を回転させ、その後に車載機器１３〜１５の作動の有無の確認に基づいて伝動ベルト２４の異常とクラッチ２５の異常とを判別するようにしている。ここでそうした異常の判別を行わずとも、回転センサ２８の異常と車載機器駆動系の異常との判別に基づく、異常の種別毎の異常時制御を実施することはできる。また、その場合であれ、クラッチ２５の接続を解除し、Ｍ／Ｇ１６を回転させることで、可能な限り、車載機器１３〜１５の作動を維持することはできる。またその場合に、少なくともクラッチ２５の接続を解除するようにすれば、異常状態にある車載機器駆動系にエンジン１０からの負荷が付与されることによる異常の拡大は防止できる。
【００７０】
・また異常判定時におけるフェールセーフ等の異常時制御の内容は、適用される車両の駆動系の構成等に応じて任意に変更しても良い。例えば、異常判定時にその異常の情報を、車両の異常診断装置に記憶させるだけでも、修理時の異常箇所の特定を容易とすることができる。
【００７１】
（第２実施形態）
続いて本発明を具体化した第２実施形態について、図４及び図５を併せ参照して、第１実施形態と異なる点を中心に説明する。
【００７２】
第１実施形態では、エンジン１０の停止中のＭ／Ｇ１６による車載機器１３〜１５の駆動時に、ＮＥセンサ２７によって検出されるエンジン１０の回転速度が所定回転以上であるとき（＜５＞の条件（ｅ４）成立）、クラッチ２５の接続解除動作の不良が発生したと判定している。
【００７３】
ところがＮＥセンサ２７は、その構成上、状況によっては、実際にはエンジン１０は停止されているにも拘わらず、エンジン１０が回転されているかのような検出結果をＮＥセンサ２７が出力することがあり、その結果、誤った異常判定がなされるおそれがある。
【００７４】
図４（ａ）に、ＮＥセンサの一例である電磁ピックアップ方式のＮＥセンサの構成を示す。
電磁ピックアップ方式のＮＥセンサは、コイルの巻き掛けられたコアと、マグネットとを有して構成されており、エンジン出力軸１０ａ（図１）に一体回転するよう取り付けられたタイミングロータに対向するよう取り付けられている。タイミングロータは、その外周に所定間隔をおいて複数の歯を有している。タイミングロータが回転して、その外周の歯がコアに接近すると、コアと歯との隙間が変化する。そうした隙間の変化に応じてコイルを通る磁力線の量が変化することで、電磁誘導作用により、ロータの回転に応じてコイルに起電力（電圧）が発生する。よって、エンジン出力軸１０ａが回転すれば、タイミングロータの歯がコアの近傍を通過する毎にコイルはパルス状の起電力を発生し、図４（ｂ）に例示するように、ＮＥセンサ２７からはパルス状の電圧信号が周期的に出力されることとなる。よって、そうしたパルス状の電圧信号の発生間隔をモニタすることで、エンジン１０の回転速度を検出することが可能となる。
【００７５】
さて、エンジン１０の停止中には、タイミングロータが回転しないため、通常、ＮＥセンサ２７の出力電圧は零に保持されている。ところがエンジン１０の停止中、状況によっては、Ｍ／Ｇ１６による車載機器の駆動等に伴うエンジン１０や車体の振動によって、図５（ｃ）に示すように、タイミングロータの歯とコアとの微小な相対揺動が発生することがある。そして、タイミングロータの歯がコア近くに位置した状態でそうした相対揺動が発生すると、それら歯とコアとの間隔が周期的に変化して、コイルがパルス状の起電力を周期的に発生することがある。
【００７６】
このため、エンジン１０が停止し、クランクシャフト１０ａ及びタイミングロータが回転していないときにも、状況によってはＮＥセンサ２７がエンジン回転中と同様のパルス状の電圧信号を周期的に出力することが生じ得る。そしてその結果、実際にはクランクシャフト１０ａが回転していないにも拘わらず、それが回転しているような検出結果が得られてしまうことがある。そしてその場合には、上述の判定条件に従えば、クラッチ２５の接続解除動作の不良が発生したものと誤って判定されてしまう。
【００７７】
ちなみに、一般にそうした状況でのＮＥセンサ２７の電圧信号の出力周期は、クラッチ２５の接続解除動作の不良発生時に想定されるＮＥセンサ２７の電圧信号の出力周期に比して、十分に短いことが試験等によって確認されている。すなわち、そうした状況では、接続解除動作の不良発生時に想定されるよりも十分に高い回転速度が、ＮＥセンサ２７によって検出されることとなる。
【００７８】
さて、こうしたＮＥセンサ２７の誤検出に基づく異常判定の誤りを回避すべく、本実施形態ではＥＣＵ２６は、図５に示されるような態様で、クラッチ２５の接続解除の動作不良の判定を行っている。
【００７９】
すなわち本実施形態では、クラッチ２５に接続解除の指令がなされるエンジン停止中のＭ／Ｇ１６による車載機器の駆動時に、上記条件（ｅ１）〜（ｅ４）のすべてが成立していても（図５のＳ２００：ＹＥＳ）、更にエンジン回転速度が所定値γ２以下でない限りは（Ｓ２１０：ＮＯ）、クラッチ２５の接続解除動作に異常無しと判定して、その時点では異常有りとの判定を保留するようにしている（Ｓ２３０）。
【００８０】
ここでの所定値γ２には、上記接続解除動作の不良発生時に想定されるエンジン回転速度の最大値が設定されている。クラッチ２５の接続解除動作の不良発生時とは云え、実際のエンジン回転速度がその所定値γ２を超えることは有り得ない。そのため、エンジン回転速度がその所定値γ２を超えるようなＮＥセンサ２７の検出結果が出力された場合には、それが上述のようなセンサ２７の誤検出に基づくものと判断できる。しかも、上記相対揺動に応じたＮＥセンサ２７のエンジン回転速度の誤った検出結果は一般に、所定値γ２よりも十分に大きい回転速度を示す。
【００８１】
よって、以上の態様によってクラッチ２５の接続解除動作の不良発生判定を行えば、ＮＥセンサ２７の誤検出に基づく誤判定を好適に回避できる。
なお、以下のように、Ｍ／Ｇ１６の回転負荷に基づいてＮＥセンサ２７の誤検出による誤った異常判定を回避することができる。
【００８２】
上記のようなクラッチ２５の接続解除の動作不良が発生した場合、各車載機器１３〜１６に加えてエンジン出力軸１０ａまでもがＭ／Ｇ１６により回転されることとなる。そのため、そうした異常発生時には、Ｍ／Ｇ１６の回転負荷は、正常時に比して自ずと大きくなる。
【００８３】
そこで、上記ステップ２１０の処理を、Ｍ／Ｇ１６の回転負荷が所定値以上であるか否かを判断する処理に変更する。そして、その変更したステップ２１０において肯定判断がなされるときには、クラッチ２５の接続解除の動作不良による異常が発生したと判定し、それに応じた異常時制御を実施する（Ｓ２３０）。また否定判断がなされたときには、異常無しと判定し、その時点では異常有りとの判定を保留する。
【００８４】
なお本実施形態では、Ｍ／Ｇ１６の回転速度の検出値とその目標値との対比に応じて、Ｍ／Ｇ１６への供給電力を調整しており、その回転負荷が増大すればその供給電力も増大するようになっている。このため、クラッチ２５が正常に接続解除されず、車載機器１３〜１５に加えてエンジン出力軸１０ａもＭ／Ｇ１６により回転することとなって、その回転負荷が増大すれば、そのＭ／Ｇ１６の供給電力も大きくなる。よって、Ｍ／Ｇ１６への供給電力に基づいて、その回転負荷の大きさを判断することができる。
【００８５】
そして例えば、上記ステップ２１０において、Ｍ／Ｇ１６への供給電力が、正常な車載機器駆動時に想定される供給電力の最大値を超えるとき、回転負荷が所定値以上であると判断するようにすれば、ＮＥセンサ２７の誤検出に基づいた、誤まった判定を排除して、的確な異常判定を行うことができる。
【００８６】
（第３実施形態）
続いて本発明を具体化した第３実施形態について、図６を併せ参照して、上記各実施形態と異なる点を中心に説明する。
【００８７】
上述の車載機器駆動装置では、エンジン１０の停止中にもＭ／Ｇ１６によって各車載機器１３〜１５の駆動が継続されるようになっている。こうしたＭ／Ｇ１６による車載機器駆動時に、例えばＡ／Ｃ用コンプレッサ１３などの車載機器１３〜１６に固着が生じると、Ｍ／Ｇ１６の回転負荷が増大して、多大な負担がかかる。
【００８８】
本実施形態では、図６に示される態様で、異常判定を行うことで、ＥＣＵ２６は、そうした固着異常の発生をより確実に検出するようにしている。
すなわち本実施形態では、クラッチ２５に接続解除の指令がなされるエンジン停止中のＭ／Ｇ１６による車載機器の駆動時に、クラッチ２５の接続解除動作の不良がないことが確認されていれば（Ｓ３００：ＹＥＳ）、そのときのＭ／Ｇ１６の回転速度に応じて上記固着異常の発生の有無を判定するようにしている（Ｓ３１０）。ちなみに、そうした動作不良の有無は、例えば第１実施形態の＜５＞、あるいは第２実施形態に示される態様で確認できる。
【００８９】
固着異常が発生した場合には、それに伴う駆動負荷の増大によって、Ｍ／Ｇ１６の回転速度を十分に高めることができなくなる。よって回転センサ２８により検出されるＭ／Ｇ１６の回転速度が所定回転速度以下であれば（Ｓ３１０：ＹＥＳ）、Ｍ／Ｇ１６の回転負荷が不相応に高いと判断でき、それにより固着異常が発生したものと判定している。ここでの所定回転速度は、Ｍ／Ｇ１６による車載機器駆動時におけるその目標回転速度の最小値よりも小さい値が設定されている。
【００９０】
更に本実施形態ではＥＣＵ２６は、ここで固着異常の発生が検出された場合（Ｓ３１０：ＹＥＳ）、それに応じた異常時制御としてＡ／Ｃ用の電磁クラッチ２０ａを接続解除した状態に保持するようにしている（Ｓ３２０）。これによりＡ／Ｃ用コンプレッサ１３は、車載機器駆動系から切り離された状態に保持される。
【００９１】
このときＡ／Ｃ用コンプレッサ１３に固着が生じていれば、それを切り離すことで、Ｍ／Ｇ１６によるその他の車載機器の駆動状態を保持し、車両の走行を継続することができる。一方、固着がＡ／Ｃ用コンプレッサ１３以外の車載機器に生じている場合にも、車両走行の維持には直接影響することのないＡ／Ｃ用コンプレッサ１３の駆動を停止すれば、Ｍ／Ｇ１６の回転負荷をその分低減することができる。したがって、そうした異常時制御によって、固着異常の発生時にも、車両走行を維持しつつ、そうした異常発生に伴うＭ／Ｇ１６の負担の増大を好適に抑えることができる。
【００９２】
なお、上記固着異常の有無の判定は、Ｍ／Ｇ１６の回転速度以外のパラメータに基づいて行うこともできる。例えばＭ／Ｇ１６の駆動電力は、その回転速度の検出値と目標値との対比に応じて調整され、回転速度の検出値が目標値未満であれば増大される。そのため、固着異常の発生によりＭ／Ｇ１６の回転負荷が増大して、その回転速度を十分に高めることが困難となると、Ｍ／Ｇ１６の駆動電力は正常時よりも大きくなる。よって、Ｍ／Ｇ１６の駆動電力に基づいても、固着異常の発生を検出することができる。
【００９３】
またＡ／Ｃ用コンプレッサ１３以外の車載機器に、伝動機構２４との接続を断接するクラッチが設けられる構成であれば、上記固着異常の発生時にそのクラッチを接続解除した状態に保持して、その車載機器の駆動を停止させるように異常時制御を行うこともできる。ただし、そうした異常時制御によって駆動停止する車載機器は、車両の走行には直接影響することのない車載機器を選択することが望ましい。
【００９４】
上記各実施形態は、以下の態様で実施することもできる。
・上記実施形態では、伝動ベルト２４を用いて、クランクシャフト１０ａ、車載機器１３〜１５、及びＭ／Ｇ１６を互いに駆動連結するようにしているが、ギア機構等の任意の伝動機構を通じてそれらを駆動連結するようにしても良い。その場合であれ、上記実施形態と同様、あるいはそれに準じた態様で、そうした伝動機構の異常の判定等を行うことができる。
【図面の簡単な説明】
【００９５】
【図１】本発明の第１実施形態についてその全体構造を示す略図。
【図２】第１実施形態の異常判定の原理ロジックを示すフローチャート。
【図３】同じく異常判定の原理ロジックを示すフローチャート。
【図４】ＮＥセンサの構成、出力波形、及びノイズの発生態様を併せ示す図。
【図５】第２実施形態の異常判定の原理ロジックを示すフローチャート。
【図６】第３実施形態の異常時制御の原理ロジックを示すフローチャート。
【符号の説明】
【００９６】
１０…エンジン、１３〜１５…車載機器、１６…モータ／ジェネレータ（Ｍ／Ｇ；電動機）、１９〜２３…プーリ（伝動機構）、２４…伝動ベルト（伝動機構）、２５…クラッチ、２６…電子制御装置（ＥＣＵ；異常時制御手段）、２７…ＮＥセンサ（検出手段、第１検出手段）、２８…回転センサ（第２検出手段）、２９…油圧センサ（第３検出手段、作動検出手段）、２０ａ…クラッチ（更なるクラッチ）。
【図１】
2008298293.tif 000003
【図２】
2008298293.tif 000004
【図３】
2008298293.tif 000005
【図４】
2008298293.tif 000006
【図５】
2008298293.tif 000007
【図６】
2008298293.tif 000008